(57)【特許請求の範囲】
【請求項１】
電力ケーブルと、
前記電力ケーブルの導体の先端部に取り付けた導体引出棒を先端側から突き出して、その内部に前記電力ケーブルを収容する碍管と、
前記電力ケーブルと前記碍管を保持する取付板と、
前記取付板を、支持碍子を介して支持する架台と、
を備えた気中終端接続箱であって、
前記支持碍子は、前記取付板に形成されている凹部に没入するように設けた固定部材によって前記取付板に固定されており、前記取付板における前記碍管側に相当する面の縁が曲面を成していることを特徴とする気中終端接続箱。
【請求項２】
前記取付板は略円盤形状を呈し、その取付板における前記碍管側に相当する面に前記凹部が形成されており、前記凹部とは反対側の面に前記支持碍子が固定されていることを特徴とする請求項１に記載の気中終端接続箱。
【発明の詳細な説明】
【技術分野】
【０００１】
本発明は、気中終端接続箱に関する。
【背景技術】
【０００２】
従来、発電所や変電所にて電力ケーブル同士を接続する気中終端接続箱が知られている。
気中終端接続箱は、段剥ぎした電力ケーブルの先端側をポリマー碍管（ポリマー套管）で覆ったものを取付金具に取り付けて、その取付金具を碍子を介して支持架台に固定することで、所定位置に設置されている（例えば、特許文献１参照。）。
【先行技術文献】
【特許文献】
【０００３】
【特許文献１】特開２００７−１５１３１０号公報
【発明の概要】
【発明が解決しようとする課題】
【０００４】
しかしながら、上記特許文献１の場合、取付金具と碍子とを接続したボルトが取付金具の上面に突出していることがある。
そして、この気中終端接続箱における電力ケーブルに電圧を印加することで、気中終端接続箱の周囲に電界が生じた際、その電界が突出したボルトなどに集中することがある。これは、突き出ている突起や、角度が急な角部などに電界が集中しやすい性質があることによる。そして、そのボルトに電界が集中し過ぎると、電界集中に起因する放電破壊を起こしてしまう恐れがあるという問題があった。
【０００５】
本発明の目的は、電界集中を緩和する気中終端接続箱を提供することである。
【課題を解決するための手段】
【０００６】
以上の課題を解決するため、本発明の態様は、
電力ケーブルと、
前記電力ケーブルの導体の先端部に取り付けた導体引出棒を先端側から突き出して、その内部に前記電力ケーブルを収容する碍管と、
前記電力ケーブルと前記碍管を保持する取付板と、
前記取付板を、支持碍子を介して支持する架台と、
を備えた気中終端接続箱であって、
前記支持碍子は、前記取付板に形成されている凹部に没入するように設けた固定部材によって前記取付板に固定されており、前記取付板における前記碍管側に相当する面の縁が曲面を成していることを特徴とする。
【０００７】
気中終端接続箱の取付板と架台とを繋ぐ支持碍子は、取付板に形成されている凹部に没入するように設けた固定部材によって取付板に固定されている。そして、固定部材は凹部に没入した状態で支持碍子を取付板に固定しており、その固定部材が取付板の表面に突出することがないので、気中終端接続箱における電力ケーブルに電圧を印加した際に、その気中終端接続箱の周囲に生じる電界が、固定部材に集中してしまうことがない。
このように、支持碍子を固定する固定部材が取付板の表面に突出することがない気中終端接続箱であれば、気中終端接続箱の周囲に生じた電界が、取付板の一部分となる固定部材に集中してしまうことがほとんどないので、電界集中を緩和することができ、電界集中に起因する放電破壊を低減することができる。
【０００９】
気中終端接続箱の取付板における少なくとも一方の面であって、碍管側に相当する面の縁が曲面を成しているため、その取付板における碍管側に相当する面の縁には角度が急な角部がないので、気中終端接続箱における電力ケーブルに電圧を印加した際に、その気中終端接続箱の周囲に生じる電界が、取付板の縁に集中してしまうことがない。
このように、取付板の外縁が曲面を成す気中終端接続箱であれば、気中終端接続箱の周囲に生じた電界が、取付板の縁などの一部分に集中してしまうことがほとんどないので、電界集中を緩和することができ、電界集中に起因する放電破壊を低減することができる。
【００１０】
また、好ましくは、前記取付板は略円盤形状を呈し、その取付板における前記碍管側に相当する面に前記凹部が形成されており、前記凹部とは反対側の面に前記支持碍子が固定されている。
【００１１】
気中終端接続箱の取付板が略円盤形状を呈していることで、取付板の外縁が略円形状を成すため、その取付板の中心から外縁までの距離はほぼ一定であり、取付板の外縁には突出した部分がないので、気中終端接続箱における電力ケーブルに電圧を印加した際に、その気中終端接続箱の周囲に生じる電界が、取付板の縁に集中してしまうことがない。
このように、略円盤形状を呈し、その外縁が略円形状を有する取付板を備える気中終端接続箱であれば、気中終端接続箱の周囲に生じた電界が、取付板の縁などの一部分に集中してしまうことがほとんどないので、電界集中を緩和することができ、電界集中に起因する放電破壊を低減することができる。
そして、取付板における凹部とは反対側の面に支持碍子を固定して、その支持碍子を介して取付板を架台で支持する際に、略円盤状の取付板であれば支持碍子が幾つであってもそれら支持碍子を取付板にバランスよく均等に配することができ、取付板を安定して支持することができる。
【発明の効果】
【００１２】
本発明によれば、気中終端接続箱の取付板に支持碍子を固定する固定部材が取付板の表面に突出することはなく、気中終端接続箱の周囲に生じた電界が、取付板の一部分となる固定部材に集中してしまうことがないので、気中終端接続箱における電界集中を緩和することができ、電界集中に起因する放電破壊を低減することができる。
更に、気中終端接続箱の取付板における縁が、例えば円弧状の曲面を成すようにして、その取付板の縁の角を無くすことで、気中終端接続箱の周囲に生じる電界を取付板の縁に集中させないようにすることができ、同様に電界集中を緩和することができる。
【図面の簡単な説明】
【００１３】
【図１】本発明に係る気中終端接続箱を示す側面図である。
【図２】本発明に係る気中終端接続箱を一部断面視して示す説明図である。
【図３】気中終端接続箱の取付板における支持碍子部分の拡大図である。
【発明を実施するための形態】
【００１４】
以下に、本発明を実施するための好ましい形態について図面を用いて説明する。但し、以下に述べる実施形態には、本発明を実施するために技術的に好ましい種々の限定が付されているが、本発明の範囲を以下の実施形態及び図示例に限定するものではない。
【００１５】
図１は、気中終端接続箱を示す側面図であり、図２は、気中終端接続箱を一部断面視して示す説明図である。図３は、気中終端接続箱の取付板における支持碍子部分の拡大図である。
【００１６】
気中終端接続箱１００は、図１から図３に示すように、電力ケーブル１０と、電力ケーブル１０を内部に収容するポリマー碍管２０と、ポリマー碍管２０の上端に取り付けた蓋体３０と、ポリマー碍管２０の下端に取り付けた取付板４０と、取付板４０に固定されている支持碍子５０と、支持碍子５０を介して取付板４０を支持する架台６０等を備えている。
【００１７】
電力ケーブル１０は、例えば、中心の導体１１と、導体１１を被覆する電気絶縁層１２と、電気絶縁層１２を被覆する外部半導電層１３と、外部半導電層１３を被覆する絶縁体のシース１４等を備えている。この電力ケーブル１０の端部を段剥ぎすることにより、シース１４、外部半導電層１３、電気絶縁層１２が順次露出し、その先端側で導体１１が露出している。導体１１の先端部には導体引出棒１５を取り付けてある。
導体引出棒１５は、導電性を有し、例えば、銅、アルミニウム、銅合金、アルミニウム合金などの金属からなる。この導体引出棒１５の基端側の孔部に電力ケーブル１０の導体１１の先端部を嵌入して、その孔部を縮径するように導体引出棒１５を圧縮することで、導体引出棒１５を導体１１に取り付けている。
【００１８】
また、電力ケーブル１０の電気絶縁層１２から外部半導電層１３にかけてストレスコーン１６を取り付けている。
また、電力ケーブル１０の外部半導電層１３の周囲に鉛管などの金属管１７を取り付けている。
また、金属管１７から外部半導電層１３、シース１４にかけてテープ部材を巻回してなるテープ層１８を設けている。
【００１９】
ポリマー碍管２０は、例えば、繊維強化プラスチックからなる円筒形状の筒体２１と、筒体２１の外周側面に一体成型したシリコーンゴムからなるひだ付部２２とを有している。ひだ付部２２は、ほぼ同じ直径を有する筒体２１の外周面に所定の間隔毎に形成された複数のリング状のひだ２…を備えている。
ポリマー碍管２０の上端には、碍管の一部を成す蓋体３０が、ポリマー碍管２０の上端の開口を閉じるように取り付けられている。
蓋体３０は、その略中央に形成された貫通孔３１を有しており、貫通孔３１から導体引出棒１５の先端が突き出している。
そして、ポリマー碍管２０は、その内部に電力ケーブル１０とともに、シリコーンオイルなどの絶縁油２３を収容している。
【００２０】
取付板４０は、外縁が円形で略円盤形状を呈する板状部材であり、ポリマー碍管２０の下端を閉じるように取り付けられている。また、取付板４０の略中央に形成した中央孔に電力ケーブル１０が挿通している。そして、取付板４０は、電力ケーブル１０とポリマー碍管２０を保持している。
この取付板４０の中央側の上面に、ポリマー碍管２０の下端と電力ケーブル１０（金属管１７）とに密着するシール部材７０を配設している。このシール部材７０は、ポリマー碍管２０内に充填されている絶縁油２３の漏れを防止するための封止部材である。なお、シール部材７０が電力ケーブル１０と取付板４０に接する面には、図示しないＯリングが設けられている。また、ポリマー碍管２０が取付板４０に接する面にも、図示しないＯリングが設けられている。それらＯリングによって絶縁油２３の漏れをより確実に防ぐようになっている。
【００２１】
また、取付板４０は、取付板４０におけるポリマー碍管２０側に相当する上面の縁に形成された曲面部４２を有している。曲面部４２は、取付板４０の外縁の上面から下面にかけて、略円弧状の曲率を有する曲面を成している。つまり、取付板４０の上面の縁には角がない。
【００２２】
また、取付板４０は、取付板４０におけるポリマー碍管２０側に相当する上面に形成された座繰り穴である凹部４１を有している。この凹部４１に、固定部材であるボルト４５を没入するように設けており、取付板４０の下面側に支持碍子５０をボルト４５で螺合して固定している。このボルト４５は、例えば、六角穴付ボルトであって、六角レンチで締め付けを行い、ボルト４５の頂部を凹部４１に埋め込むように螺入して、ボルト４５と支持碍子５０を螺合するようになっている。つまり、凹部４１に螺入して没入したボルト４５の頂部が、取付板４０の上面に突出しないようになっている。
なお、取付板４０は、例えば、その上面の４箇所に凹部４１を有しており、各凹部４１に対応する位置にそれぞれボルト４５で固定した支持碍子５０を備えている。
【００２３】
支持碍子５０は架台６０に固定されており、この支持碍子５０を介して架台６０が取付板４０を支持している。
そして、その架台６０が据え付けられている位置に、気中終端接続箱１００を設置することができる。
【００２４】
このように、気中終端接続箱１００の取付板４０を略円盤形状にして、その取付板４０の上面の縁が円弧状の曲面を成すように曲面部４２を形成しているので、取付板４０の上面側には角度が急な角部がほとんど無く、その上面は比較的緩やかで滑らかな面からなる表面形状を呈している。
また、取付板４０に支持碍子５０を固定するためのボルト４５は、取付板４０の上面の凹部４１内に没入させているので、取付板４０の上面にボルト４５の頂部などの突起が突出することはない。
【００２５】
以上のように、気中終端接続箱１００の取付板４０におけるポリマー碍管２０側に相当する上面には、突起や角度が急な部分がなく、気中終端接続箱１００における電力ケーブル１０に電圧を印加した際に、その気中終端接続箱１００の周囲に生じる電界が集中しやすい箇所がない。
このような気中終端接続箱１００であれば、気中終端接続箱１００の周囲に生じた電界が、取付板４０の一部分に電界集中してしまうことがほとんどないので、電界集中に起因する放電破壊を低減することができる。
つまり、この気中終端接続箱１００は、電界集中を緩和することができ、気中終端接続箱としての電気特性を向上させることができる。
【００２６】
なお、以上の実施の形態においては、取付板４０の上面の縁に円弧状の曲面を成す曲面部４２を形成したが、本発明はこれに限定されるものではなく、取付板４０の下面の縁にも円弧状の曲面を成す曲面部を形成してもよい。
また、凹部４１の開口の縁も面取りするなどして、曲面に形成することが好ましい。
また、取付板４０は、外縁が円形の略円盤形状であることに限らず、外縁が緩やかな曲線からなり、角部や突出部分が無いものであれば、その他の任意の形状であってもよい。
【００２７】
また、その他、具体的な細部構造等についても適宜に変更可能であることは勿論である。
【符号の説明】
【００２８】
１０    電力ケーブル
１１    導体
１５    導体引出棒
２０    ポリマー碍管（碍管）
３０    蓋体
４０    取付板
４１    凹部
４２    曲面部
４５    ボルト（固定部材）
５０    支持碍子
６０    架台
７０    シール部材
１００  気中終端接続箱
【図１】
0005607444.tif 000002
【図２】
0005607444.tif 000003
【図３】
0005607444.tif 000004